(57)【要約】【課題】  高品質の液晶表示素子を提供する。【解決手段】  それぞれ電極を備える上側基板及び下側基板と、その両者間に保持され、電界が発生していない状態で液晶分子がツイスト配列してヘリカル構造を示す液晶層とを有する駆動セルと、駆動セルの一方の基板面上に配置され、上側基板及び下側基板と、その両者間に保持され、液晶分子がツイスト配列してヘリカル構造を示す液晶層を含み、該液晶層は、負の一軸光学異方性をもつ円盤状液晶材料とカイラル剤とを含んで形成され、ヘリカル構造の旋回方向が、駆動セルのヘリカル構造の旋回方向とは逆向きであり、該液晶層の厚さ方向に関して中央に位置する液晶分子の配向方向が、駆動セルの液晶層の厚さ方向に関して中央に位置する液晶分子の配向方向と、上側及び下側基板の面内で平行な方向である補償手段と、駆動セルと補償手段とを含む構造体の両側にそれぞれ配置された偏光板とを有する液晶表示素子を提供する。【選択図】  図２
2006084936.tif 000002
【特許請求の範囲】
【請求項１】
それぞれ電極を備える上側基板及び下側基板と、その両者間に保持され、電界が発生していない状態で液晶分子がツイスト配列してヘリカル構造を示す液晶層とを有する駆動セルと、
前記駆動セルの一方の基板面上に配置され、上側基板及び下側基板と、その両者間に保持され、液晶分子がツイスト配列してヘリカル構造を示す液晶層を含み、該液晶層は、負の一軸光学異方性をもつ円盤状液晶材料とカイラル剤とを含んで形成され、ヘリカル構造の旋回方向が、前記駆動セルのヘリカル構造の旋回方向とは逆向きであり、該液晶層の厚さ方向に関して中央に位置する液晶分子の配向方向が、前記駆動セルの液晶層の厚さ方向に関して中央に位置する液晶分子の配向方向と、前記上側及び下側基板の面内で平行な方向である補償手段と、
前記駆動セルと補償手段とを含む構造体の両側にそれぞれ配置された偏光板と
を有する液晶表示素子。
【請求項２】
前記駆動セルのヘリカル構造の旋回角の大きさと、前記補償手段のヘリカル構造の旋回角の大きさとが等しい請求項１に記載の液晶表示素子。
【請求項３】
前記駆動セル及び補償手段のヘリカル構造の旋回角の大きさが、７０°以上１３０°以下である請求項１または２に記載の液晶表示素子。
【請求項４】
前記駆動セル及び補償手段のヘリカル構造の旋回角の大きさが、９０°以上１３０°以下である請求項１または２に記載の液晶表示素子。
【請求項５】
前記駆動セル及び補償手段のヘリカル構造の旋回角の大きさが、９０°以上１２０°以下である請求項１または２に記載の液晶表示素子。
【請求項６】
前記駆動セルの液晶層のリタデーションが、０．４５μｍ以上０．８μｍ以下である請求項１〜５のいずれか１項に記載の液晶表示素子。
【請求項７】
前記駆動セルの液晶層のリタデーションが、０．４５μｍ以上０．６５μｍ以下である請求項１〜５のいずれか１項に記載の液晶表示素子。
【請求項８】
前記駆動セルがマルチドメイン構造である請求項１〜７のいずれか１項に記載の液晶表示素子。
【発明の詳細な説明】
【技術分野】
【０００１】
本発明は、液晶表示素子に関し、特に、ツイストネマチックモードの液晶表示素子に関する。
【背景技術】
【０００２】
図５は、従来のツイストネマチック（ＴＮ）モード液晶表示素子の主要部の構成を示す概略的な分解斜視図である。
【０００３】
液晶表示素子は、液晶セル２０及び偏光板５０、５１を含んで構成される。
【０００４】
液晶セル２０は、上側基板１１、上側基板１１に略平行に対向配置される下側基板１２、及び上側基板１１と下側基板１２との間に保持される液晶層１５を含む。液晶層１５には、９０°のねじれ角を有するＴＮ液晶である液晶分子１５ａが充填されている。
【０００５】
上側基板１１は、たとえば平板なガラス基板である透明基板１１ａ、透明基板１１ａ上にたとえばＩＴＯ（Ｉｎｄｉｕｍ  Ｔｉｎ  Ｏｘｉｄｅ）で形成された電極１１ｂ、及び電極１１ｂ上に形成された配向膜１１ｃを含む。
【０００６】
下側基板１２は、透明基板１２ａ、透明基板１２ａ上に形成された電極１２ｂ、及び電極１２ｂ上に形成された配向膜１２ｃを含む。透明基板１２ａ、電極１２ｂ及び配向膜１２ｃを形成する材料は、上側基板１１と同じである。
【０００７】
上側基板１１と下側基板１２とは、配向膜１１ｃ、１２ｃが向き合うように対向配置される。
【０００８】
図５における右方向を基準（０°）とし、下側基板１２と平行な面内において反時計回りに回転した方位角θで液晶分子の配向方向（長軸方向）等を表す角度座標を定義する。
【０００９】
上側基板１１及び下側基板１２の配向膜１１ｃ、１２ｃには、ラビング処理が施されている。上側基板１１の配向膜１１ｃに施されたラビングの方向Ｄ１は方位角４５°の方向であり、下側基板１２の配向膜１２ｃに施されたラビングの方向Ｄ２は方位角３１５°（−４５°）の方向である。配向膜１１ｃ、１２ｃに接触する液晶分子１５ａはラビング方向に平行に配向し、ラビング方向を示す矢印の先端側の端部が基板から持ち上がるようにチルトする。配向膜は対向配置されているので、下側基板１２側の液晶分子１５ａの基板から持ち上がった方の端部が、上側基板１１側の液晶分子１５ａの基板に接触する方の端部に対応するようにチルトする。
【００１０】
液晶層１５内の液晶分子１５ａが方位角方向にツイストし、ヘリカル構造を構成する。このヘリカル構造は左旋回となり、ねじれ角（ツイスト角、旋回角）は９０°、厚さ方向の中央に位置する液晶分子の配向方向の方位角θは２７０°になる。
【００１１】
偏光板５０が、液晶セル２０の上側基板１１の外側の面に密着し、偏光板５１が、下側基板１２の外側の面に密着している。偏光板５０の透過軸の方向Ｄ３の方位角θは４５°であり、偏光板５１の透過軸の方向Ｄ４の方位角θも４５°である。偏光板５０と５１とは、平行ニコル配置されている。
【００１２】
電圧が印加されない状態では、液晶分子１５ａはＴＮ配列している。偏光板５１を透過して下側基板１２に入射した光は、液晶分子１５ａのダイレクタに沿って偏光方向を旋回させながら液晶層１５内を進み、９０°旋回させたところで上側基板１１から出射するため、上側基板１１側の偏光板５０で遮られる。このため黒表示が実現される。
【００１３】
電圧印加時においては、液晶分子１５ａが基板（上側基板１１及び下側基板１２）に垂直に立つため、偏光板５１を透過して下側基板１２に入射した光は、そのまま液晶層１５内を進み、上側基板１１及び偏光板５０から出射する。この場合、白表示が実現される。
【００１４】
このようなノーマリブラック９０°ねじれＴＮモードの液晶表示素子において、電圧無印加時に良好な黒レベルを得るには、液晶層１５の厚さｄ（μｍ）と、液晶層１５を形成する液晶材料の複屈折率Δｎの積Δｎｄ（リタデーション、単位  μｍ）を適切に調整する必要がある。
【００１５】
図６は、リタデーションΔｎｄと電圧無印加時の光透過率との関係を表したグラフである。横軸は、リタデーションΔｎｄを単位「μｍ」で示す。縦軸は、光透過率を単位「％」で示す。
【００１６】
リタデーションΔｎｄが、約０．４９μｍ、及び約１μｍのとき光透過率は極小値をとる。これはいわゆるＧｏｏｃｈ＆Ｔａｒｒｙの式に従う光透過率の変化を示すものである。リタデーションΔｎｄが約１μｍを超えると、光透過率の目立った増減はなく、また、リタデーションΔｎｄが約１．９μｍ以上の範囲においては、光透過率は単調に減少している。したがって、少なくともある一定値以上のリタデーションΔｎｄでは、リタデーションΔｎｄが、約０．４９μｍ、及び約１μｍのときの光透過率より低い光透過率を与え、良好な黒表示を実現することができることがわかる。
【００１７】
ところが、リタデーションΔｎｄの値を大きくとると、液晶層１５の厚さが増大するため、液晶分子１５ａの応答速度が低速になるという問題が生じる。また、リタデーションΔｎｄを大きくすることによって良好な黒表示を得る方法は、液晶分子のねじれ角が９０°の場合でのみ有効な方法である。
【００１８】
駆動セルの液晶層とは、ツイスト方向が逆方向である液晶層を備えた補償セルを重ねて構成される、二層型液晶表示素子の提案もある。（たとえば、特許文献１参照。）
【００１９】
【特許文献１】特開２０００−３１４８６７号公報
【発明の開示】
【発明が解決しようとする課題】
【００２０】
本発明の目的は、高品質の液晶表示素子を提供することである。
【課題を解決するための手段】
【００２１】
本発明の一観点によると、それぞれ電極を備える上側基板及び下側基板と、その両者間に保持され、電界が発生していない状態で液晶分子がツイスト配列してヘリカル構造を示す液晶層とを有する駆動セルと、前記駆動セルの一方の基板面上に配置され、上側基板及び下側基板と、その両者間に保持され、液晶分子がツイスト配列してヘリカル構造を示す液晶層を含み、該液晶層は、負の一軸光学異方性をもつ円盤状液晶材料とカイラル剤とを含んで形成され、ヘリカル構造の旋回方向が、前記駆動セルのヘリカル構造の旋回方向とは逆向きであり、該液晶層の厚さ方向に関して中央に位置する液晶分子の配向方向が、前記駆動セルの液晶層の厚さ方向に関して中央に位置する液晶分子の配向方向と、前記上側及び下側基板の面内で平行な方向である補償手段と、前記駆動セルと補償手段とを含む構造体の両側にそれぞれ配置された偏光板とを有する液晶表示素子が提供される。
【００２２】
この液晶表示素子は、黒レベルが良好で、応答が高速な液晶表示素子である。
【発明の効果】
【００２３】
本発明によれば、高品質の液晶表示素子を提供することができる。
【発明を実施するための最良の形態】
【００２４】
本願発明者らは、先の提案（特願２００３−２８７０５４号、[発明を実施するための最良の形態]の[００１２]〜[００５４]及び図１〜図１１）において、「電界が発生していない状態で液晶分子がツイスト配列してヘリカル構造を示す液晶層を保持し、該液晶層に基板面内方向の電界を発生させる電極が形成された駆動セルと、前記駆動セルの一方の面上に配置され、液晶分子がツイスト配列してヘリカル構造を示す液晶層を含み、ヘリカル構造の旋回方向が、前記駆動セルのヘリカル構造の旋回方向とは逆向きであり、該液晶層の厚さ方向に関して中央に位置する液晶分子の配向方向が、前記駆動セルの液晶層の厚さ方向に関して中央に位置する液晶分子の配向方向と直交する補償手段と、前記駆動セルと補償手段とを含む構造体の両側にそれぞれ配置された偏光板とを有する液晶表示素子」（特願２００３−２８７０５４号、[請求項１]）等の発明を詳しく開示した。
【００２５】
これに関連して、たとえば以下のような液晶表示素子を考えてみる。
【００２６】
図１は、先の提案に関連した液晶表示素子の主要部の構成を示す概略的な分解斜視図である。この液晶表示素子は、駆動セル３０、補償セル４０、駆動セル３０側の偏光板５３、及び補償セル４０側の偏光板５２を含んで構成される。
【００２７】
駆動セル３０の構成は、図５に示した液晶セル２０のそれと同一である。
【００２８】
補償セル４０は、上側基板３１、下側基板３２、及び両者に挟まれた液晶層３５を含んで構成される。下側基板３２が駆動セル３０の上側基板２１に接触している。上側基板３１及び下側基板３２の対向面上にそれぞれ配向膜３１ｃ、３２ｃが形成され、ラビング処理が施されている。上側基板３１の配向膜３１ｃに施されたラビングの方向Ｄ７は方位角２２５°の方向であり、下側基板３２の配向膜３２ｃに施されたラビングの方向Ｄ８は方位角３１５°（−４５°）の方向である。
【００２９】
液晶層３５内の液晶分子３５ａがツイストし、ヘリカル構造を構成する。このヘリカル構造は右旋回となり、ねじれ角は９０°、厚さ方向の中央に位置する液晶分子の配向方向の方位角θは０°になる。駆動セル３０の液晶層２５の厚さ方向に関して中央に位置する液晶分子２５ａの配向方向と、補償セル４０の液晶層３５の厚さ方向に関して中央に位置する液晶分子３５ａの配向方向とは、基板面内方向で相互に直交する。
【００３０】
偏光板５２が、補償セル４０の上側基板３１の外側の面に密着し、偏光板５３が、駆動セル３０の下側基板２２の外側の面に密着している。偏光板５２の透過軸の方向Ｄ９の方位角θは１３５°であり、偏光板５３の透過軸の方向Ｄ１０の方位角θは４５°である。偏光板５２と５３とは、クロスニコル配置されている。
【００３１】
図１に示した液晶表示素子の構造では、Ｇｏｏｃｈ＆Ｔａｒｒｙの式に従わず、どのような液晶セル厚設定においても、一対の偏光板をクロスニコル配置したものと同等な電圧無印加時黒レベルが得られ、高コントラストの液晶表示素子が実現可能である。
【００３２】
図１に示した液晶表示素子の構造においては、良好な電圧無印加時視角特性を保ち、更に、良好な電圧印加時正面透過率を得るためには、ねじれ角を９０°より大きく設定し、リタデーションΔｎｄもＧｏｏｃｈ＆Ｔａｒｒｙの第１ミニマムよりも大きく設定する必要がある。リタデーションΔｎｄの増大は、液晶表示素子の応答速度を低速化させる原因となる。
【００３３】
本願は、先の提案に関連して考究を深め、Ｇｏｏｃｈ＆Ｔａｒｒｙの第１ミニマム条件以下のリタデーションΔｎｄ設定においても良好な電圧無印加時黒レベルを得られ、かつ、良好な視角特性が獲得可能な液晶表示素子の構造を提案する。
【００３４】
また、本願の提案する液晶表示素子は、セル厚設定の制約を受けず、良好な視角特性を実現することが可能であると同時に、リタデーションΔｎｄを小さく設定することにより、液晶表示素子の応答速度を改善可能であることを特徴とする。
【００３５】
図２は、実施例による液晶表示素子の主要部の構成を示す概略的な分解斜視図である。
【００３６】
この液晶表示素子は、駆動セル５０、補償セル６０、駆動セル５０側の偏光板６５、及び補償セル６０側の偏光板６４を含んで構成される。
【００３７】
駆動セル５０の構成は、図５に示した液晶セル２０のそれと同一である。
【００３８】
補償セル６０は、上側基板５１、上側基板５１に略平行に対向配置される下側基板５２、及び両者の間に保持される液晶層５５を含む。補償セル６０の下側基板５２は駆動セル５０の上側基板４１に接触している。
【００３９】
上側基板５１は、たとえば透明なガラス基板である透明基板５１ａ、及びその上に形成された配向膜５１ｃを含む。配向膜５１ｃにはラビング処理が施されており、その方向Ｄ１３は方位角１３５°の方向である。
【００４０】
下側基板５２は、たとえば透明なガラス基板である透明基板５２ａ、及びその上に形成された配向膜５２ｃを含む。配向膜５２ｃにはラビング処理が施されており、その方向Ｄ１４は方位角２２５°（−１３５°）の方向である。
【００４１】
配向膜５１ｃ、５２ｃには、たとえば特開平９−２６５７２号公報に記載のポリイミド膜を使用する。配向膜５１ｃ、５２ｃにラビング処理を施すことにより、液晶層５５の液晶分子５５ａの配向方向を規定する。
【００４２】
上側基板５１及び下側基板５２は、互いに配向膜５１ｃ、５２ｃを向き合わせて対向配置され、その間に液晶層５５が保持される。
【００４３】
液晶層５５には、たとえば特開平９−２６５７２号公報に示される、カイラル剤を含有する、負の一軸光学異方性を有する円盤状（ディスコティック）液晶材料を充填する。カイラル剤の含有量によって、液晶層５５の液晶分子５５ａのねじれピッチを調整することができる。
【００４４】
補償セル６０において、液晶分子５５ａのダイレクタは、円盤状分子の円形面と垂直な方向（液晶分子５５ａの光軸方向）であると定義する。
【００４５】
配向膜５１ｃ、５２ｃに接する円盤状の液晶分子５５ａは、基板面に対してほぼ直立（ｕｐ  ｒｉｇｈｔ）し、その光軸がラビング方向とほぼ直交する。液晶分子５５ａは、液晶層５５内において、厚さ方向に関して９０°右旋回している。すなわち、補償セル６０のヘリカル構造の旋回方向は、駆動セル５０のヘリカル構造の旋回方向と逆向きである。また、旋回角（ねじれ角）の大きさは等しい。補償セル６０の上側基板５１の表面上の液晶分子は、その光軸が２２５°方向を向くように配向し、下側基板５２の表面上の液晶分子は、その光軸が３１５°方向を向くように配向している。
【００４６】
補償セル６０の液晶層５５の厚さ方向に関して中央に位置する液晶分子５５ａの光軸方向は、方位角２７０°の方向である。駆動セル５０の液晶層４５の厚さ方向に関して中央に位置する液晶分子４５ａの配向方向も方位角２７０°の方向であるため、両者は基板面内方向で相互に平行になる。
【００４７】
駆動セル５０の場合も、補償セル６０の場合も、液晶層の厚さ方向に関して中央に位置する液晶分子の配向方向は、上側基板に施されたラビング処理の面内方向の単位ベクトルと、下側基板に施されたラビング処理の面内方向の単位ベクトルの合成ベクトルの向きと直交する方向である。したがって、駆動セルと補償セルの液晶層の厚さ方向に関する中央位置の液晶分子の配向方向が相互に平行になるとは、駆動セル３０における当該合成ベクトルの方向と、補償セル４０における当該合成ベクトルの方向とが平行であることを意味する。
【００４８】
偏光板６４が、補償セル６０の上側基板５１の外側の面に密着し、偏光板６５が、駆動セル５０の下側基板４２の外側の面に密着している。偏光板６４の透過軸の方向Ｄ１５の方位角θは１３５°であり、偏光板６５の透過軸の方向Ｄ１６の方位角θは４５°である。偏光板６４と６５とは、クロスニコル配置されている。
【００４９】
なお、実施例においては、駆動セル５０の上側基板４１と偏光板６４との間に、駆動セル５０のねじれ方向と逆のねじれ方向を有し、液晶層内の厚さ方向の中央における液晶ダイレクタ方位が互いに平行となる補償セル６０を配置した。補償セル６０の液晶層５５内の液晶分子５５ａは、動作中にその配列状態を変化させないため、補償セル６０の代わりに、同等の光学特性を有する液晶ポリマ等からなる光学フィルムを用いてもよい。
【００５０】
また、駆動セル５０と補償セル６０の配置を交換してもよい。
【００５１】
本願発明者らは、図２に示した液晶表示素子について、良好な表示状態が得られる条件をシミュレーションにより調べた。シミュレーションは、シンテック社製のＬＣＤ  ＭＡＳＴＥＲを用いて行った。駆動セル５０の液晶材料としては、メルク社製のＺＬＩ−４７９２を想定し、セル厚ｄとカイラルピッチｐの比ｄ／ｐは０．１に固定した。補償セル６０に用いる液晶材料としては、ＺＬＩ−４７９２の常光屈折率ｎｏと異常光屈折率ｎｅを交換した値をもつ液晶材料を想定し、カイラル剤の添加によりｄ／ｐ＝０．１となるように調整した。
【００５２】
偏光板は日東電工製Ｇ１２２０ＤＵを想定した。ねじれ角を変化させる場合は、駆動セル５０、補償セル６０ともに液晶層の厚さ方向の中央に位置する分子のダイレクタ方位は固定し、基板表面におけるラビング方向を変化させることとした。したがって、駆動セル５０においても、補償セル６０においても、液晶層の厚さ方向の中央に位置する液晶分子のダイレクタ方位は２７０°に固定される。なお、駆動セル５０と補償セル６０の液晶分子のねじれ角は等しいとしてシミュレーションを行った。また、両セルのセル厚も等しいとした。
【００５３】
図３は、実施例による液晶表示素子を、方位１８０°、極角６０°から観察した場合の、電圧無印加時の光透過率を表すグラフである。
【００５４】
横軸はセル（駆動セル及び補償セル）の厚さを単位「μｍ」で示す。縦軸は、透過率を単位「％」で示す。駆動セルの液晶分子のねじれ角を様々に変化させ、ねじれ角ごとにグラフを作成した。
【００５５】
白丸を実線でつないだグラフは、ねじれ角が７０°の場合、白丸を点線でつないだグラフは、ねじれ角が８０°の場合、白四角を実線でつないだグラフは、ねじれ角が９０°の場合、白四角を点線でつないだグラフは、ねじれ角が１００°の場合、白三角を実線でつないだグラフは、ねじれ角が１１０°の場合、白三角を点線でつないだグラフは、ねじれ角が１２０°の場合、バツ印を実線でつないだグラフは、ねじれ角が１３０°の場合のシミュレーション結果を示す。
【００５６】
７０°以上１３０°以下の範囲で１０°ごとにサンプリングしたすべてのねじれ角の値で、セル厚によらず、透過率がほぼ一定であり、非常に良好な黒レベル透過率（１％前後）が得られていることがわかる。実施例による液晶表示素子は、７０°以上１３０°以下のねじれ角の範囲でセル厚によらず、良好な黒レベル視角特性を得ることができる。
【００５７】
なお、実施例による液晶表示素子を正面から観察した場合における、電圧無印加時の光透過率を上記ねじれ角（７０°、８０°、９０°、１００°、１１０°、１２０°、１３０°）ごとに調べた結果、偏光板クロスニコルと同等の結果が得られた。
【００５８】
図４は、実施例による液晶表示素子の駆動セル５０（上下基板の電極４１ｂ、４２ｂ間）に５Ｖの電圧を印加し、液晶表示素子を正面から観察した場合の光透過率を表すグラフである。
【００５９】
横軸はセル（駆動セル及び補償セル）の厚さを単位「μｍ」で示す。縦軸は、透過率を単位「％」で示す。駆動セルの液晶分子のねじれ角を様々に変化させ、図３のグラフを作成する際にも用いた７つのねじれ角（７０°、８０°、９０°、１００°、１１０°、１２０°、１３０°）ごとにグラフを作成した。グラフの表示方法は、図３の場合と同じであり、たとえば、白丸を実線でつないだグラフは、ねじれ角が７０°の場合のシミュレーション結果を示す。
【００６０】
ねじれ角が９０°未満の場合、セル厚の変化に対する透過率の変化は比較的大きい。しかしねじれ角が９０°以上１３０°以下の場合は、透過率がなだらかに変化する範囲が、４．５μｍ以上８μｍ以下の比較的広いセル厚範囲に対して認められる。９０°以上１３０°以下のそれぞれのねじれ角について、最大透過率が得られるセル厚を求め、その値からセル厚を±０．５μｍの範囲で変化させたところ、すべての場合において、透過率の変化は１％以下であった。
【００６１】
良好な電圧無印加時視角特性が得られ、良好な透過率、セル厚変化に対する透過率変化のマージンが広い条件としては、ねじれ角９０°以上１３０°以下、セル厚４．５μｍ以上８μｍ、リタデーションΔｎｄ０．４５μｍ以上０．８μｍ以下であると考えられる。これに、液晶の応答速度を重視する場合、セル厚はできるだけ薄くした方が有利であるという観点を加えると、ねじれ角９０°以上１２０°以下、セル厚さ４．５μｍ以上６．５μｍ以下、リタデーションΔｎｄ０．４５μｍ以上０．６５μｍ以下が一層有効（表示性能に優れている）であろう。
【００６２】
実施例による液晶表示素子は、Ｇｏｏｃｈ＆Ｔａｒｒｙの式の第１ミニマム付近の条件におけるノーマリブラック化を実現することができる液晶表示素子である。また、黒レベルが良好で、かつ、応答が高速な液晶表示素子である。
【００６３】
なお、駆動セルと補償セルとの間のセル厚の差が０．３μｍ以内であれば、図３及び図４を用いて説明した結果と同様の結果が得られることを確認した。
【００６４】
実施例による液晶表示素子においては、駆動セルの液晶分子の配向を一様（モノドメイン配向）とした。駆動セルの液晶分子が場所により配向方向を異にする（液晶表示素子が場所により複数の配向方向を有する液晶層を備える）マルチドメイン構造を採用することも可能である。マルチドメイン構造は、駆動セルの配向膜に光配向による配向処理を施す方法、駆動セルにスリットを備える電極を用いて、液晶層に斜め電界を発生させる方法等により実現可能である。
【００６５】
マルチドメイン構造を採用することにより、モノドメイン構造採用時よりも、一層、視角特性を改善することができる。殊に、明表示時の視角対称性を改善することができる。
【００６６】
以上実施例に沿って本発明を説明したが、本発明はこれらに制限されるものではない。例えば、種々の変更、改良、組み合わせ等が可能なことは当業者に自明であろう。
【産業上の利用可能性】
【００６７】
（ｉ）．スタティック駆動液晶表示素子、（ｉｉ）．セグメント表示単純マトリクス駆動液晶表示素子、（ｉｉｉ）．ドットマトリクス表示単純マトリクス駆動液晶表示素子、（ｉｖ）．上記（ｉｉ）及び（ｉｉｉ）を１つの素子内に内蔵する液晶表示素子、（ｖ）．薄膜トランジスタ（Ｔｈｉｎ  Ｆｉｌｍ  Ｔｒａｎｓｉｓｔｏｒ、ＴＦＴ）駆動を含むアクティブマトリクス駆動液晶表示素子等に適用可能である。
【図面の簡単な説明】
【００６８】
【図１】先の提案に関連した液晶表示素子の主要部の構成を示す概略的な分解斜視図である。
【図２】実施例による液晶表示素子の主要部の構成を示す概略的な分解斜視図である。
【図３】実施例による液晶表示素子を、方位１８０°、極角６０°から観察した場合の、電圧無印加時の光透過率を表すグラフである。
【図４】実施例による液晶表示素子の駆動セル５０（上下基板の電極４１ｂ、４２ｂ間）に５Ｖの電圧を印加し、液晶表示素子を正面から観察した場合の光透過率を表すグラフである。
【図５】従来のツイストネマチック（ＴＮ）モード液晶表示素子の主要部の構成を示す概略的な分解斜視図である。
【図６】リタデーションΔｎｄと電圧無印加時の光透過率との関係を表したグラフである。
【符号の説明】
【００６９】
１１、２１、４１  上側基板
１２、２２、４２  下側基板
１１ａ、１２ａ、２１ａ、２２ａ、４１ａ、４２ａ  透明基板
１１ｂ、１２ｂ、２１ｂ、２２ｂ、４１ｂ、４２ｂ  電極
１１ｃ、１２ｃ、２１ｃ、２２ｃ、４１ｃ、４２ｃ  配向膜
１５、２５、４５  液晶層
１５ａ、２５ａ、４５ａ  液晶分子
２０  液晶セル
３０、５０  駆動セル
３１、５１  上側基板
３２、５２  下側基板
３１ａ、３２ａ、５１ａ、５２ａ  透明基板
３１ｃ、３２ｃ、５１ｃ、５２ｃ  配向膜
３５、５５  液晶層
３５ａ、５５ａ  液晶分子
４０、６０  補償セル
５０、５１、５２、５３、６４、６５  偏光板
Ｄ１〜Ｄ１６  方向
【図１】
2006084936.tif 000003
【図２】
2006084936.tif 000004
【図３】
2006084936.tif 000005
【図４】
2006084936.tif 000006
【図５】
2006084936.tif 000007
【図６】
2006084936.tif 000008